(57)【要約】【課題】  防水性を確保しつつ、操作時の違和感を少なくし、かつ、操作性をより向上することが可能なスイッチ装置の防水構造を得る。【解決手段】  スイッチ１０の操作部１１の揺動方向端部の側面１１ｂ，１１ｃを、操作部１１の揺動中心Ｐを中心とする同一円に沿った円弧面で形成し、ハウジング２の取付用開口部２Ａｂの周縁部に設けた防水パッキング２０を操作部１１の揺動方向端部の側面１１ｂ，１１ｃおよび揺動直角方向の側面１１ｄからなる外側面１１ｅに摺接させることにより、操作部１１の揺動角度によらず、防水パッキング２０を揺動方向端部の側面１１ｂ，１１ｃに略一定の密接力で接触させて防水効果を高めるとともに、操作部１１の操作面を露出させておくことができるため、操作部１１の操作性が損なわれるのを防止することができる。【選択図】      図３
2007087831.tif 000002
【特許請求の範囲】
【請求項１】
操作部と当該操作部の中央部を揺動可能に支持するスイッチケースとを有し、操作部の揺動操作に応じてオン・オフされるとともに、ハウジングに形成した取付用開口部から操作部が表面側に露出した状態で設けられるスイッチと、
前記取付用開口部とスイッチとの隙間を塞ぐシール部材と、
を備え、
前記操作部の揺動方向端部の側面を滑らかな曲面とし、かつ当該側面の揺動中心に垂直な各断面が、当該揺動中心を中心とする一定半径の円弧となるように形成し、
前記シール部材を前記取付用開口部の周縁部および前記スイッチケースのうち少なくともいずれか一方に設けて、前記操作部の揺動方向端部の側面に摺接させたことを特徴とするスイッチ装置の防水構造。
【請求項２】
前記シール部材は、前記操作部の揺動方向端部の側面に対する摺接部分としてリップ部を有し、
前記リップ部の基部を前記取付用開口部の内周に当接させたことを特徴とする請求項１に記載のスイッチ装置の防水構造。
【請求項３】
前記シール部材は、前記スイッチケースに形成された環状の溝部に嵌着されたＯリングであり、
前記Ｏリングの前記溝部から突出した部分を、前記操作部の揺動方向端部の側面に摺接させたことを特徴とする請求項１または２に記載のスイッチ装置の防水構造。
【請求項４】
前記スイッチケースの二つの分割体を溝幅方向に組み合わせて前記Ｏリングを嵌着する溝部を形成したことを特徴とする請求項３に記載のスイッチ装置の防水構造。
【請求項５】
前記シール部材として、
その周縁部が取付用開口部の周縁部とスイッチケースとの間に挟持されるとともに、その内周部が前記操作部の揺動方向端部の側面に摺接するリップ部を形成した防水パッキングと、
前記スイッチケースの内周に形成した溝部に嵌着され、当該溝部から突出する部分が前記操作部の揺動方向端部の側面に摺接するＯリングと、
を含むことを特徴とする請求項１に記載のスイッチ装置の防水構造。
【発明の詳細な説明】
【技術分野】
【０００１】
本発明は、電気機器に設けたスイッチ装置の防水構造に関する。
【背景技術】
【０００２】
従来、複数のコンセントを備えたテーブルタップに、オン・オフ切り換えするスイッチを設けて、そのスイッチをオフにした場合は電源から供給される電気を各コンセントに供給するのを遮断するようにしたものが知られている（例えば、特許文献１参照）。
【０００３】
このようにテーブルタップにスイッチを設けることにより、各コンセントへの電気供給を一括して管理できるので、例えば外出時等には各コンセントからその都度プラグを抜くことなく電気機器の待機電力の消耗を防ぐことができる等、種々のメリットがある。
【特許文献１】実開昭６１−１２６５８１号公報（第１頁、第１図）
【発明の開示】
【発明が解決しようとする課題】
【０００４】
かかる従来のスイッチ付きテーブルタップには、スイッチを装着した部分での防塵・防水性を確保すべく、当該スイッチの操作部を防水パッキングで覆ったものがある。
【０００５】
このように、スイッチの操作部を防水パッキングで覆う場合、防水パッキングを可撓性の素材で形成するとともに、操作部の表面と防水パッキングとの間に隙間を設けておき、オン・オフに伴って操作部の突出姿勢が変化しても、防水パッキングを介して操作部を押し込み操作できるようにするのが、一般的である。
【０００６】
しかしながら、かかる構造の場合、操作部と防水パッキングとの間に比較的大きな隙間が存在することになるため、操作すべく防水パッキングを押し込む際や、操作に拘わらず防水パッキングに触れた際に、防水パッキングに当たってから操作部に当たるまでの間に、所謂「遊び」が生じる分、操作の違和感を与えるとともに、操作自体がしにくくなったり、オン・オフ状態の識別性が低下したりするという問題があった。
【０００７】
そこで、本発明は、防水性を確保しつつ、操作時の違和感を少なくし、かつ、操作性をより向上することが可能なスイッチ装置の防水構造を得ることを目的とする。
【課題を解決するための手段】
【０００８】
請求項１の発明にあっては、操作部と当該操作部の中央部を揺動可能に支持するスイッチケースとを有し、操作部の揺動操作に応じてオン・オフされるとともに、ハウジングに形成した取付用開口部から操作部が表面側に露出した状態で設けられるスイッチと、上記取付用開口部とスイッチとの隙間を塞ぐシール部材と、を備え、上記操作部の揺動方向端部の側面を滑らかな曲面とし、かつ当該側面の揺動中心に垂直な各断面が、当該揺動中心を中心とする一定半径の円弧となるように形成し、上記シール部材を上記取付用開口部の周縁部および上記スイッチケースのうち少なくともいずれか一方に設けて、上記操作部の揺動方向端部の側面に摺接させたことを特徴とする。
【０００９】
請求項２の発明にあっては、上記シール部材は、上記操作部の揺動方向端部の側面に対する摺接部分としてリップ部を有し、上記リップ部の基部を上記取付用開口部の内周に当接させたことを特徴とする。
【００１０】
請求項３の発明にあっては、上記シール部材は、上記スイッチケースに形成された環状の溝部に嵌着されたＯリングであり、上記Ｏリングの上記溝部から突出した部分を、上記操作部の揺動方向端部の側面に摺接させたことを特徴とする。
【００１１】
請求項４の発明にあっては、上記スイッチケースの二つの分割体を溝幅方向に組み合わせて上記Ｏリングを嵌着する溝部を形成したことを特徴とする。
【００１２】
請求項５の発明にあっては、上記シール部材として、その周縁部が取付用開口部の周縁部とスイッチケースとの間に挟持されるとともに、その内周部が上記操作部の揺動方向端部の側面に摺接するリップ部を形成した防水パッキングと、上記スイッチケースの内周に形成した溝部に嵌着され、当該溝部から突出する部分が上記操作部の揺動方向端部の側面に摺接するＯリングと、を含むことを特徴とする。
【発明の効果】
【００１３】
請求項１の発明によれば、シール部材を操作部の外側面に摺接させた際に、操作部の揺動方向端部の側面を滑らかな曲面とし、かつ当該側面の揺動中心に垂直な各断面が、当該揺動中心を中心とする一定半径の円弧となるように形成しているので、操作部の揺動角度によらず、シール部材を操作部の揺動方向端部の側面に対して略一定の密接力で接触させることができ、以て、当該シール部材により、操作部と取付用開口部との間での防水を確保することができる。
【００１４】
このとき、上記シール部材は操作部の外側面に摺接させればよく、当該シール部材で操作部を全体的に覆うことなく、操作部の操作面を露出させておくことができるため、操作部を防水パッキングで被覆した従来構造のように操作部の操作性が損なわれるのを防止することができる。
【００１５】
請求項２の発明によれば、シール部材に設けたリップ部の基部が上記取付用開口部の内周に当接されることにより、そのリップ部が上記操作部の揺動方向端部の側面から受ける反力に対する支持剛性を高めることができるため、リップ部の先端部をより大きな密接力で操作部に接触させて防水効果をより高めることができる。
【００１６】
請求項３の発明によれば、シール部材をスイッチケースに形成した溝部に嵌着されるＯリングとしたことで、シール部材の構成を簡素化できるとともに、Ｏリングをスイッチケースの内周側に嵌着させることで、スイッチケース内にＯリングすなわちシール部材を隠すことができるため、シール部材によってスイッチ部分の美観が損なわれるのを抑制することができる。
【００１７】
請求項４の発明によれば、Ｏリングを嵌着する溝部で、スイッチケースを分離可能となっているので、Ｏリングの組み付けをより容易に行うことができる。
【００１８】
請求項５の発明によれば、シール部材が上記防水パッキングと上記Ｏリングとによって構成されるので、防水パッキングによって操作部の側面と取付用開口部の周縁部との間を防水し、かつ、Ｏリングによって操作部の側面とスイッチケースとの間を防水できるため、二重の防水構造によって防水効果をより一層向上させることができる。
【発明を実施するための最良の形態】
【００１９】
以下、本発明の実施形態について図面を参照しつつ詳細に説明する。
【００２０】
（第１実施形態）図１〜図５は本発明にかかるスイッチ装置の防水構造の第１実施形態を示し、図１はテーブルタップの斜視図、図２はテーブルタップの分解斜視図であり、図３は図１中Ａ−Ａ線に沿った拡大断面図、図４はスイッチの操作部を（ａ）の平面図と（ｂ）の正面図と（ｃ）の側面図で示す説明図、図５は防水パッキングを（ａ）の平面図と（ｂ）のＢ−Ｂ線断面図と（ｃ）のＣ−Ｃ線断面図によって示す説明図である。
【００２１】
本実施形態のスイッチ装置の防水構造は、図１，図２に示すように、電気機器としてのテーブルタップ１に適用された場合を例にとって説明し、そのテーブルタップ１を説明するにあたって、便宜上、図中上方を上の部材および上方位置、図中下方を下の部材および下方位置および図中左・右方向左・右位置をとして説明するが、特にそれら上・下および左・右の位置関係を特定するものでは無い。
【００２２】
テーブルタップ１は、図１に示すように、外カバー２Ａと外ボディ２Ｂとによって断面略矩形状の中空に形成されるハウジング２を備え、そのハウジング２の上面２ｃに図外のプラグの栓刃差込ユニット３が、ハウジング２の長さ方向に適宜間隔をもって複数（本実施形態では２個）設けられるとともに、ハウジング２の先端面２ｄにも１つの栓刃差込ユニット３が設けられる。
【００２３】
また、ハウジング２の上面２ｃの基端側（図２中向こう側）には、オン・オフ切換用のスイッチ１０が設けられ、このスイッチ１０の切り換えによって電源コード４から供給される電気が、各栓刃差込ユニット３に通電および遮断されるようになっている。
【００２４】
ここで、本実施形態では、スイッチ１０は、シール部材としての防水パッキング２０を設けた防水型スイッチとして提供される。
【００２５】
そして、テーブルタップ１の詳細な内部構造は、図２に示すように、上・下に分割された外カバー２Ａと外ボディ２Ｂとの間に、中ボディ５、刃受け６、栓刃差込ユニット３およびスイッチ１０が内蔵され、電源コード４がハウジング２に挿入される部分には、防水ブッシング７が取り付けられる。
【００２６】
外カバー２Ａは、下方が解放された浅い断面略逆Ｕ字状に形成され、その上面２ｃには、栓刃差込ユニット３の栓刃差込口３ａを上方に臨ませる開口部２Ａａが形成されるとともに、スイッチ１０を嵌め込んで取り付ける取付用開口部２Ａｂが形成される。また、外カバー２Ａの先端面２ｄにも、栓刃差込ユニット３の栓刃差込口３ａを臨ませるＵ字状の切欠部２Ａｃが形成される。
【００２７】
外ボディ２Ｂは、上方が解放された浅い断面略Ｕ字状に形成され、その長さ方向に複数（本実施形態では３本）の組立ネジ８を挿通するネジ取付孔２Ｂａが形成され、そのネジ取付孔２Ｂａに挿通した組立ネジ８を介して外カバー２Ａと外ボディ２Ｂとを結合するようになっている。また、外ボディ２Ｂの先端面２ｄには、外カバー２Ａの切欠部２Ａｃと合わせて矩形状の開口部を形成する切欠部２Ｂｉが形成される。
【００２８】
また、外ボディ２Ｂの内側には、中ボディ５の側壁５ａおよび底面５ｂの外側形状に沿って切欠いたリブ２Ｂｂが長さ方向に複数突設され、それらリブ２Ｂｂによって中ボディ５を安定的に嵌合支持するようになっている。なお、外カバー２Ａの内側にも中ボディ５を嵌合支持する複数のリブが設けられている。
【００２９】
さらに、外カバー２Ａおよび外ボディ２Ｂの基端側の壁面間には、電源コード４を取り込むための切欠き２Ｂｃ（外カバー２Ａの切欠きは隠れている）が形成され、それら切欠き２Ｂｃに電源コード４を挿通した防水ブッシング７の鍔部７ａが嵌合・係止される。
【００３０】
つまり、鍔部７ａは筒状に形成された防水ブッシング７の基部（図２中手前側）に形成されて、その外側形状が略矩形状となり、その鍔部７ａの外周に形成された溝部７ｂが切欠き２Ｂｃの周縁部に嵌め込まれることになる。このとき、外カバー２Ａの切欠きと外ボディ２Ｂの切欠き２Ｂｃとが合わさることにより、鍔部７ａの外側形状に沿った矩形状の開口部となる。
【００３１】
また、外カバー２Ａおよび外ボディ２Ｂの基端側の内側には、切欠き２Ｂｃの中央部近傍に電源コード４の２本のコード４ａ，４ｂを分離させるリブ２Ｂｄが突設（外カバー２Ａにあっても同様）されている。
【００３２】
中ボディ５は、刃受け６を保持するケースで、上方および先端（図中手前側）が解放された断面Ｕ字状に形成され、その内側には刃受け６を嵌合保持するための複数の突起部５ｃが突設されるとともに、底面５ｂの中央部には組立ネジ８を挿通する開口部５ｄが形成されている。
【００３３】
刃受け６は、ハウジング２の幅方向（左右方向）に配置される２本の導電帯板６ａ，６ｂを備え、それら導電帯板６ａ，６ｂのそれぞれの中間部には、プラグの栓刃を弾発力をもって挟み込む刃受けばね６ｃが所定間隔をもって２箇所設けられるとともに、導電帯板６ａ，６ｂのそれぞれの先端部（図２中手前側）には同様の刃受けばね６ｃが１箇所設けられる。
【００３４】
そして、各刃受けばね６ｃは、栓刃差込ユニット３にそれぞれ２箇所設けられた栓刃差込口３ａに配置される。なお、各栓刃差込ユニット３はそれぞれの栓刃差込口３ａに図外の防水扉が開閉自在に設けられて、防水構造となっている。
【００３５】
また、導電帯板６ａ，６ｂの基端部（図２中向こう側）は、スイッチ１０に接続される接続端部６ｄ，６ｅとなっている。
【００３６】
スイッチ１０は、揺動操作される操作部１１と、この操作部１１の中央部を揺動可能に支持するスイッチケース１２とを備え、操作部１１の揺動操作でオン・オフされる、所謂タンブラースイッチを構成しており、ハウジング２の取付用開口部２Ａｂから操作部１１を外方に臨ませて取り付けられる。
【００３７】
スイッチ１０には、図２中向こう側に電源コード４の２本のコード４ａ，４ｂが接続される図外の２つの入力端子と、図２中手前側に突出する２つの出力端子１３ａ，１３ｂが設けられ、操作部１１をオン操作、つまり、突起１１ａが設けられた側を図２に示すように下方に押すことにより、電源コード４から供給される電気を出力端子１３ａ，１３ｂに通電する一方、操作部１１をオフ操作、つまり、突起１１ａが設けられたとは反対側を下方に押すことにより、電源コード４から供給される電気を遮断して、出力端子１３ａ，１３ｂには通電されないようになっている。
【００３８】
出力端子１３ａ，１３ｂは、刃受け６のそれぞれ対応する接続端部６ｄ，６ｅに接続され、スイッチ１０のオン状態で各栓刃差込ユニット３が通電状態になる一方、スイッチ１０のオフ状態で各栓刃差込ユニット３が非通電状態となる。
【００３９】
このように構成されたテーブルタップ１の組み付けは、図２に示すように、外ボディ２Ｂに、刃受け６を保持した中ボディ５をセットするとともに、スイッチ１０をセットし、そして、刃受け６の各刃受けばね６ｃにそれぞれ対応する栓刃差込ユニット３を配置する一方、外カバー２Ａの取付用開口部２Ａｂの周縁部内側に防水パッキング２０を仮止めしておき、その外カバー２Ａを上方から被せて、組立ネジ８によって外ボディ２Ｂと外カバー２Ａとを結合する。
【００４０】
すると、図３に示すように、スイッチ１０は、外カバー２Ａと外ボディ２Ｂとの間に挟まれた状態で固定されるとともに、防水パッキング２０の周縁部２０ａはスイッチケース１２の上端と取付用開口部２Ａｂの周縁部内側との間に圧着状態で挟み込まれて固定される。
【００４１】
もちろん、電源コード４は、スイッチ１０に接続した状態で、それに挿通した防水ブッシング７とともに外カバー２Ａと外ボディ２Ｂとの基端部間にセットされる。
【００４２】
ここで、本実施形態では、図３，図４（ｂ）に示すように、操作部１１の揺動方向端部の側面１１ｂ，１１ｃを滑らかな曲面とし、かつ当該側面１１ｂ，１１ｃの揺動中心に垂直な各断面が、当該揺動中心Ｐを中心とする一定半径の円弧となるように形成してある。
【００４３】
また、操作部１１の揺動直角側に配置される揺動直角方向の側面１１ｄは、外カバー２Ａの上面２ｃに対して略垂直となっており、この揺動直角方向の側面１１ｄおよび揺動方向端部の側面１１ｂ，１１ｃによって操作部１１の外側面１１ｅが形成される。
【００４４】
そして、取付用開口部２Ａｂの周縁部に設けた防水パッキング２０を操作部１１の外側面１１ｅに摺接させてある。
【００４５】
すなわち、防水パッキングは、図５に示すように、周縁部２０ａが取付用開口部２Ａｂの開口形状に沿った矩形状を成し、それら防水パッキング２０の周縁部２０ａと取付用開口部２Ａｂの周縁部内側との間に、互いに密接嵌合する環状凹凸部３０を形成してあり、取付用開口部２Ａｂの周縁部内側とスイッチケース１２の上端との間に周縁部２０ａが挟み込まれた際に、環状凹凸部３０が互いに嵌合されて防水パッキング２０とハウジング２との間が液密に密閉されるようになっている。
【００４６】
また、防水パッキング２０の中央部は、操作部１１の外側面１１ｅの周囲形状（本実施形態では略矩形状）に略沿って、その操作部１１を囲繞するようにリップ部２１を立ち上げてあり、そのリップ部２１は防水パッキング２０の周縁部２０ａから略垂直に立ち上げた基部２１ａと、その基部２１ａの先端部から屈曲して鋭角状に突出する先端部２１ｂとによって形成される。
【００４７】
このとき、先端部２１ｂの内周は、操作部１１の揺動方向端部の側面１１ｂ，１１ｃおよび揺動直角方向の側面１１ｄからなる外側面１１ｅの断面形状よりも若干小さな略相似形を成し、そのリップ部２１の先端部２１ｂをその外側面１１ｅに所定の圧接力をもって摺接させてある。
【００４８】
また、本実施形態では、図３に示すように、リップ部２１の基部２１ａを取付用開口部２Ａｂの内周、特にその取付用開口部２Ａｂの外方端部（図中上端部）に当接させてある。
【００４９】
以上の本実施形態によれば、操作部１１の揺動方向端部の側面１１ｂ，１１ｃを滑らかな曲面とし、かつ当該側面１１ｂ，１１ｃの揺動中心Ｐに垂直な各断面が、当該揺動中心Ｐを中心とする一定半径の円弧となるように形成し、ハウジング２の取付用開口部２Ａｂの周縁部に設けた防水パッキング２０を、揺動方向端部の側面１１ｂ，１１ｃおよび揺動直角方向の側面１１ｄからなる操作部１１の外側面１１ｅに摺接させたため、操作部１１の揺動角度によらず、防水パッキング２０を、揺動方向端部の外側面１１ｅに対して略一定の密接力で接触させることができ、以て、当該防水パッキング２０により、操作部１１と取付用開口部２Ａｂとの間での防水を確保することができる。
【００５０】
このとき、防水パッキング２０は操作部１１の外側面１１ｅに摺接させればよく、その防水パッキング２０で操作部１１を全体的に覆うことなく、操作部１１の操作面（図中上面）を露出させておくことができるため、操作部１１の操作性が損なわれるのを防止することができる。
【００５１】
また、本実施形態では、上記作用効果に加えて、防水パッキング２０は、操作部１１の外側面１１ｅへの摺接部分がリップ部２１となっており、当該リップ部２１の基部２１ａを取付用開口部２Ａｂの内周に当接させてあるので、当該リップ部２１が操作部１１の外側面１１ｅから受ける反力に対する支持剛性を高めることができ、以て、リップ部２１の先端部２１ｂをより大きな密接力で操作部１１に接触させて防水効果をより高めることができる。
【００５２】
（第２実施形態）図６は本発明の第２実施形態を示し、第１実施形態と同一構成部分に同一符号を付して重複する説明を省略して述べるものとし、図６は図１中Ａ−Ａ線に対応する箇所で断面した拡大断面図である。
【００５３】
本実施形態のスイッチ装置の防水構造は、基本的には、上記第１実施形態と同様の構成を備えており、操作部１１の揺動方向端部の側面１１ｂ，１１ｃについては、操作部１１の揺動方向端部の側面１１ｂ，１１ｃを滑らかな曲面とし、かつ当該側面１１ｂ，１１ｃの揺動中心に垂直な各断面が、当該揺動中心Ｐを中心とする一定半径の円弧となるように形成してある。
【００５４】
ただし、本実施形態では、シール部材をＯリング３１とし、このＯリング３１をスイッチケース１２の内周に形成した溝部１２ａに嵌着し、その溝部１２ａから突出する部分を操作部１１の外側面１１ｅに摺接させるようにしてある。
【００５５】
もちろん、Ｏリング３１は、ゴム等の弾性部材により、環状かつ断面円形状に形成され、操作部１１の揺動方向端部の側面１１ｂ，１１ｃと揺動直角方向の側面１１ｄからなる外側面１１ｅの断面形状に沿って略矩形状に設置される。
【００５６】
したがって、本実施形態にあっても、上記第１実施形態と同様に、操作部１１の揺動方向端部の側面１１ｂ，１１ｃを滑らかな曲面とし、かつ当該側面１１ｂ，１１ｃの揺動中心Ｐに垂直な各断面が、当該揺動中心Ｐを中心とする一定半径の円弧となるように形成し、Ｏリング３１を、揺動方向端部の側面１１ｂ，１１ｃおよび揺動直角方向の側面１１ｄからなる操作部１１の外側面１１ｅに摺接させたため、操作部１１の揺動角度によらず、Ｏリング３１を、揺動方向端部の外側面１１ｅに対して略一定の密接力で接触させることができ、以て、当該Ｏリング３１により、操作部１１と取付用開口部２Ａｂとの間での防水を確保することができる。
【００５７】
また、本実施形態では、シール部材をスイッチケース１２に形成した溝部１２ａに嵌着されるＯリング３１としたことで、シール部材の構成を簡素化できるとともに、Ｏリング３１がスイッチケース１２の内周側に嵌着させることで、スイッチケース１２内にＯリング３１すなわちシール部材を隠すことができるため、シール部材を設けたことによってスイッチ部分の美観が損なわれるのを抑制することができる。
【００５８】
もちろん、操作部１１の外側面１１ｅはその全周に亘ってＯリング３１に摺接して、防水を確保することができる。
【００５９】
（第３実施形態）図７は本発明の第３実施形態を示し、第２実施形態と同一構成部分に同一符号を付して重複する説明を省略して述べるものとし、図７は図１中Ａ−Ａ線に対応する箇所で断面した拡大断面図である。
【００６０】
本実施形態のスイッチ装置の防水構造は、基本的には、上記第２実施形態と同様の構成を備えており、シール部材をＯリング３１とし、このＯリング３１をスイッチケース１２の内周に形成した溝部１２ａに嵌着してある。
【００６１】
ただし、本実施形態では、Ｏリング３１を嵌着する溝部１２ａを、それの溝幅方向（図中上下方向）に分離可能としてある。
【００６２】
すなわち、本実施形態ではスイッチケース１２を溝部１２ａの形成部分から上下に分割し、当該二つの分割体の下方部分をケース本体１２Ａ、上方部分をリングキャップ１２Ｂとして、リングキャップ１２Ｂをケース本体１２Ａの外周に加締めや螺合により嵌着固定してある。
【００６３】
そして、リングキャップ１２Ｂの内周下部に形成した断面Ｌ字状の切欠部１２Ｂａとケース本体１２Ａの上端との間で溝部１２ａが形成されるようにし、切欠部１２Ｂａ内にＯリング３１を嵌合した状態でリングキャップ１２Ｂをケース本体１２Ａに組み込むことができるようになっている。
【００６４】
したがって、本実施形態によれば、上記第２実施形態と同様の作用効果を奏するのはもちろんのこと、Ｏリング３１を嵌着する溝部１２ａで、スイッチケース１２を分離可能となっているので、Ｏリング３１の組み付けをより容易に行うことができる。
【００６５】
（第４実施形態）図８は本発明の第４実施形態を示し、第１，第２実施形態と同一構成部分に同一符号を付して重複する説明を省略して述べるものとし、図８は図１中Ａ−Ａ線に対応する箇所で断面した拡大断面図である。
【００６６】
本実施形態では、上記第１実施形態と同様に、操作部１１の揺動方向端部の側面１１ｂ，１１ｃを滑らかな曲面とし、かつ当該側面１１ｂ，１１ｃの揺動中心に垂直な各断面が、当該揺動中心Ｐ（図４（ｂ）参照）を中心とする一定半径の円弧となるように形成してある。
【００６７】
ただし、本実施形態では、シール部材を、第１実施形態に示す防水パッキング２０と、第２実施形態に示すＯリング３１と、によって構成してある。
【００６８】
すなわち、防水パッキング２０は、周縁部２０ａをハウジング２の取付用開口部２Ａｂの周縁部とスイッチケース１２との間に挟持するとともに、内周部に形成したリップ部２１を操作部１１の外側面１１ｅに摺接してあり、また、Ｏリング３１は、スイッチケース１２の内周に形成した溝部１２ａに嵌着され、その溝部１２ａから突出する部分を操作部１１の外側面１１ｅに摺接してある。
【００６９】
また、この場合にあっても、リップ部２１は、その基部２１ａを取付用開口部２Ａｂの内周に当接させて、操作部１１の外側面１１ｅに摺接する先端部２１ｂの反力剛性を高めることが望ましい。
【００７０】
したがって、本実施形態によれば、シール部材が防水パッキング２０とＯリング３１とによって構成されるので、防水パッキング２０によって操作部１１の外側面１１ｅと取付用開口部２Ａｂの周縁部との間を防水し、かつ、Ｏリング３１によって操作部１１の外側面１１ｅとスイッチケース１２との間を防水できるため、二重の防水構造によって防水効果をより一層向上させることができる。
【００７１】
ところで、本発明は第１〜第４実施形態に例をとって説明したが、これら実施形態に限ることなく本発明の要旨を逸脱しない範囲で他の実施形態を各種採用することができる。
【図面の簡単な説明】
【００７２】
【図１】本発明の第１実施形態におけるスイッチ装置の防水構造を適用したテーブルタップの斜視図。
【図２】本発明の第１実施形態におけるテーブルタップの分解斜視図。
【図３】図１中Ａ−Ａ線に沿った拡大断面図。
【図４】本発明の第１実施形態におけるスイッチの操作部を（ａ）の平面図と（ｂ）の正面図と（ｃ）の側面図で示す説明図。
【図５】本発明の第１実施形態における防水パッキングを（ａ）の平面図と（ｂ）のＢ−Ｂ線断面図と（ｃ）のＣ−Ｃ線断面図によって示す説明図。
【図６】本発明の第２実施形態における図１中Ａ−Ａ線に対応する箇所で断面した拡大断面図。
【図７】本発明の第３実施形態における図１中Ａ−Ａ線に対応する箇所で断面した拡大断面図。
【図８】本発明の第４実施形態における図１中Ａ−Ａ線に対応する箇所で断面した拡大断面図。
【符号の説明】
【００７３】
２  ハウジング
２Ａｂ  取付用開口部
１０  スイッチ
１１  操作部
１１ｂ，１１ｃ  揺動方向端部の側面
１１ｄ  揺動直角方向の側面
１１ｅ  外側面
１２  スイッチケース
１２ａ  溝部
２０  防水パッキング
２０ａ  防水パッキングの周縁部
２１  リップ部
２１ａ  リップ部の基部
２１ｂ  リップ部の先端部
３１  Ｏリング
【図１】
2007087831.tif 000003
【図２】
2007087831.tif 000004
【図３】
2007087831.tif 000005
【図４】
2007087831.tif 000006
【図５】
2007087831.tif 000007
【図６】
2007087831.tif 000008
【図７】
2007087831.tif 000009
【図８】
2007087831.tif 000010